(57)【特許請求の範囲】
【請求項１】
加熱手段の加熱により内部を通過する水を加熱する加熱用熱交換器と、室内の床面に配置され内部を通過する温水を熱源として室内を暖房する床暖房手段とを接続して温水回路を形成し、ポンプを作動させて前記加熱用熱交換器で加熱された温水を前記温水回路に循環させる温水床暖房システムであって、床暖房運転の開始初期には、前記加熱手段により加熱される温水の目標温度を通常運転時の温水の温度より高温にするホットダッシュ動作を行う制御手段を有する温水床暖房システムの制御装置において、
前記制御手段は、
前記床暖房手段の床加熱能力を設定するための能力設定手段と、
前記床暖房手段が配置された前記室内の外部の外気温度を検知する外気温センサとを備え、
前記ホットダッシュ動作を継続するホットダッシュ時間及び前記ホットダッシュ動作において前記加熱手段により加熱される温水のホットダッシュ目標温度を、前記能力設定手段により設定された床暖房能力と前記外気温センサにより検知された外気温度とに基づいて決定することを特徴とする温水床暖房システムの制御装置。
【請求項２】
前記制御手段は、
前記能力設定手段により設定された床暖房能力と、
前記外気温センサにより検知された外気温度とに対応した前記ホットダッシュ目標温度のマトリックスパターンを有することを特徴とする請求項１記載の温水床暖房システムの制御装置。
【請求項３】
前記制御手段は、
前記ホットダッシュ時間を、前記能力設定手段により設定された前記床加熱能力のみに基づいて決定することを特徴とする請求項１または２に記載の温水床暖房システムの制御装置。
【発明の詳細な説明】
【０００１】
【発明の属する技術分野】
本発明は、加熱源によって加熱された温水を室内の床面に設置された床暖房パネル等に循環させる室内の床暖房運転の開始初期に、床暖房パネル等へ供給する温水の温度を通常運転時の温水温度より高くするホットダッシュ動作を行う温水床暖房システムの制御装置に関する。
【０００２】
【従来の技術】
温水を床暖房パネル等へ供給して暖房を行う温水床暖房システムでは、リモコン等の床暖房運転スイッチ等により運転開始を指示すると、床暖房パネルが設けられた温水回路に温水を循環させる循環ポンプを駆動し、リモコン等の能力設定器で設定された暖房レベルに応じて、床暖房パネルへ供給される温水温度を決定し、バーナ等の加熱手段の加熱量を決定された暖房レベルに応じて調節して、安定した暖房能力で運転している。
【０００３】
また、特に、運転開始初期には，通常の運転時より高温の温水を循環させることによって、運転開始初期の暖房能力を向上させるように、ホットダッシュ動作を行うようにしたものもある。
こうしたホットダッシュ動作では、床暖房パネル等へ供給される温水の温度は、従来は、例えば、運転開始から４０分間は８０℃、その後、運転開始から６０分までの間は６５℃、さらに運転開始から６０分を経過した以降は４７℃というように、あらかじめ決められた時間中には、あらかじめ決められた固定の温度に調節されていた。
【０００４】
【発明が解決しようとする課題】
上述のとおり、ホットダッシュ動作を有する温水床暖房システムにおいては、暖房が開始される場合には、いつでも決まった温度と時間のホットダッシュ動作によって室内が暖房される。このために、暖房負荷が小さい場合には、ホットダッシュ動作の時間が長すぎるなどして過剰な暖房となったり、暖房負荷が大きい場合には、供給される温水の温度が低いなどの理由で立ち上がりが悪いといった具合に、それぞれの暖房負荷に対処できない。従って、必ずしも快適な状態で床暖房を開始させることができなかったという問題がある。
【０００５】
本発明は、温水床暖房システムにおいて、暖房負荷の影響を受けにくく、快適な立ち上がりをすることを目的とする。
【０００６】
【課題を解決するための手段】
本発明は、請求項１では、加熱手段の加熱により内部を通過する水を加熱する加熱用熱交換器と、室内の床面に配置され内部を通過する温水を熱源として室内を暖房する床暖房手段とを接続して温水回路を形成し、ポンプを作動させて前記加熱用熱交換器で加熱された温水を前記温水回路に循環させる温水床暖房システムであって、床暖房運転の開始初期には、前記加熱手段により加熱される温水の目標温度を通常運転時の温水の温度より高温にするホットダッシュ動作を行う制御手段を有する温水床暖房システムの制御装置において、前記制御手段は、前記床暖房手段の床加熱能力を設定するための能力設定手段と、前記床暖房手段が配置された前記室内の外部の外気温度を検知する外気温センサとを備え、前記ホットダッシュ動作を継続するホットダッシュ時間及び前記ホットダッシュ動作において前記加熱手段により加熱される温水のホットダッシュ目標温度を、前記能力設定手段により設定された床暖房能力と前記外気温センサにより検知された外気温度とに基づいて決定することを技術的手段とする。
【０００７】
請求項２では、請求項１において、前記制御手段は、前記能力設定手段により設定された床暖房能力と、前記外気温センサにより検知された外気温度とに対応した前記ホットダッシュ目標温度のマトリックスパターンを有することを技術的手段とする。
請求項３は、請求項１、２において、前記制御手段は、前記ホットダッシュ時間を、前記能力設定手段により設定された前記床加熱能力のみに基づいて決定することを技術的手段とする。
【０００８】
以上の構成により、本発明では、床暖房が開始されると、能力設定手段によって設定された床暖房能力と外気温センサによって検知された外気温度とに基づいて、ホットダッシュ時間および加熱手段により加熱されるホットダッシュ目標温度が決定される。ここでは、例えば、加熱される温水のホットダッシュ目標温度は、外気温度が低いほど高く且つ設定された床暖房能力が大きいほど高くなるように、決定するとよい。
【０００９】
また、決定されるホットダッシュ時間としては、決定されるホットダッシュ目標温度が高いほど長く、低いほど短くなるようにしたり、使用者の暖房の要求の程度に応じて、設定された床暖房能力が大きいほど長くするようにすればよい。
これにより、床暖房運転が開始されると、床暖房運転初期には、設定された床暖房能力が大きいほど、また外気温度が低いほど、高い温度の温水が長い時間継続して、床暖房手段に供給されることになる。
【００１０】
この結果、暖房負荷が小さい場合には、温度が高すぎる温水が長く供給されすぎることがなく、また、暖房負荷が大きい場合には、供給される温水の温度が低すぎるために、暖房のために必要な熱量が確保できなかったり、高温の温水が供給される時間が短すぎるなどの不具合が生じることがなくなり、運転開始初期に使用者が必要とする熱量がまとまって供給されることになる。
従って、外気温度の違いなどに応じたしかも使用者の要求に応じた最適な暖房能力で、床暖房運転を立ち上がらせることができる。
【００１１】
【発明の実施の形態】
次に本発明を、以下に示す実施例に基づいて説明する。
図１は、本発明の温水床暖房システムに係わる温水暖房式エアコンシステムの実施例を示す。
図１において、１は加熱源及び冷却源を有し屋外に設置される室外機、２は室内上方の壁部に配置される室内機であり、３は放熱用温水配管を有し室内の床面に配置される床暖房パネルであり、室内機２は温水配管及び冷却用配管によって、床暖房パネル３は温水配管によって室外機１とそれぞれ接続されている。この室外機１、室内機２、床暖房パネル３及びこれらを接続する温水配管、冷却配管により温水回路１０および冷凍サイクル２０がそれぞれ形成されている。
【００１２】
室外機１には、温水回路１０の構成として、一定回転で駆動される循環ポンプ１１、加熱用熱交換器１２、プレッシャータンク１３が設けられ、加熱用熱交換器１２には加熱源としてのガスバーナ１００が備えられている。
また、床暖房パネル３へ向かう温水配管には、床暖熱動弁１４が設けられている。
ここで、床暖熱動弁１４は、電気ヒータ等の熱により開閉制御するものであり、開閉に時間が掛かるが、温水の循環を停止させる際、大きな作動力により確実に温水循環回路を閉鎖することができる。床暖熱動弁１４の代わりに、電磁弁またはモータ弁であってもよい。
【００１３】
他方、冷凍サイクル２０の構成としては、インバータ制御されるモータにより駆動されて冷媒である冷媒ガスを圧縮する圧縮機２１、凝縮器２２、ストレーナ２３、キャピラリチューブ２４が設けられ、凝縮器２２には放熱ファン２５が備えられている。
【００１４】
室内機２には、温水回路１０の構成として暖房用熱交換器１５が設けられ、冷凍サイクル２０の蒸発器としての冷房用熱交換器２６が設けられ、各熱交換器１５、２６に対して、室内空気を循環させる対流ファン２００が備えられていて、室内空気を冷房用熱交換器２６→暖房用熱交換器１５の順で通過させて、再び室内へ送り出す。
【００１５】
室外機１、室内機２及び床暖房パネル３において、温水回路１０は、循環ポンプ１１の吐出側に加熱用熱交換器１２の流入側が接続され、加熱用熱交換器１２の流出側で温水配管が２つに分岐し、一方には室内機２の暖房用熱交換器１５の流入側が接続されている。分岐した他方の温水配管には、床暖熱動弁１４を介して床暖房パネル３の流入側と接続されている。
暖房用熱交換器１５の流出側の温水配管と床暖房パネル３の流出側の温水配管は合流し、プレッシャータンク１３を介して循環ポンプ１１の吸引側に接続されている。
【００１６】
以上の構成を有する温水回路１０では、循環ポンプ１１の作動によって、循環ポンプ１１→加熱用熱交換器１２→暖房用熱交換器１５→プレッシャータンク１３→循環ポンプ１１の循環回路で、または循環ポンプ１１→加熱用熱交換器１２→床暖熱動弁１４→床暖房パネル３→プレッシャータンク１３→循環ポンプ１１の循環回路で、ガスバーナ１００によって加熱された温水が循環する。
【００１７】
他方、冷凍サイクル２０では、冷媒は、冷媒圧縮機２１→凝縮器２２→ストレーナ２３→キャピラリチューブ２４→冷房用熱交換器２６→冷媒圧縮機２１を循環し、循環中に、冷媒は凝縮器２２で気相→液相の状態変化をして熱の放出を行い、冷房用熱交換器２６で液相（霧状）→気相の状態変化をして熱の吸収を行って室内空気を冷却する。
【００１８】
室外機１の加熱源であるガスバーナ１００は、燃焼用空気を燃焼ファン１０１によって供給するもので、ガスバーナ１００へ燃料ガスを供給する燃料供給路１０２には、２つのガス電磁弁１０３、１０４とガス比例弁１０５が設けられており、また、ガスバーナ１００の炎口の近傍には、点火電極１０６とフレームロッド１０７とが設けられている。
【００１９】
制御装置４００は、使用者によって操作されるリモコン４に応じて各種の運転をマイコンによって制御するもので、室外機１と室内機２とに別れて設けられていて、相互に各種の信号を伝送する。
【００２０】
制御装置４００は、各種の制御を行うために、室外機１の加熱用熱交換器１２の温水の流出側で温水温度を検知する高温水サーミスタ４０１、室内機２の暖房用熱交換器１５の温水の流出側で温水温度を検知する室内温水サーミスタ４０２、室内機２内で室内温度を検知する室温サーミスタ４０３、室外機１が設置される屋外の外気温度を検知する外気温度サーミスタ４０４を備えている。
【００２１】
以上の構成からなる温水暖房式エアコンシステムは、制御装置４００によって、暖房運転としては、床暖房パネル３のみによる床単独運転、床暖房パネル３と室内機２によるデュエット暖房運転を、また、冷凍サイクル２０の作動を伴うものでは、室内機２のみによるドライ運転、床暖房パネル３と室内機２によるデュエットドライ運転、室内機２による冷房運転がそれぞれ制御される。なお、冷房運転および各ドライ運転においては、圧縮機２１を駆動するインバータ制御として、圧縮機２１の回転数が制御される。
以下では、暖房運転としての床単独運転とデュエット暖房運転について説明する。
【００２２】
〔床単独運転〕
床単独運転は、循環ポンプ１１を一定回転で駆動し、ガスバーナ１００を燃焼させて、床暖房パネル３のみによって床暖房運転を行うものである。
なお、床単独運転の間にも、加熱用熱交換器１２で加熱された温水が室内機２の暖房用熱交換器１５にも循環するが、床単独運転では、対流ファン２００の作動は停止されていて、暖房用熱交換器１５の内部を通過する温水の熱が室内へ放出されにくくなっているため、暖房用熱交換器１５による暖房効果はほとんど得られない。
【００２３】
床単独運転では、床暖房の立ち上がりを向上させるために、リモコン４の床暖房運転のオン操作に応じて、運転開始初期には、床暖房通常運転時より高温の温水を床暖房パネル３へ供給する床暖房ホットダッシュ動作を行い、この床暖房ホットダッシュ動作の後は、床暖房通常運転を行う。
【００２４】
床暖房通常運転では、リモコン４により７段階に設定される床暖房レベルＨｎと外気温度サーミスタ４０４の検知する外気温度Ｔａとに応じて、加熱用熱交換器１２で加熱される温水の通常目標湯温ＴＯを決定し、決定された通常目標湯温ＴＯになるように、燃焼ファン１０１およびガス比例弁１０５をそれぞれ制御して、ガスバーナ１００の燃焼量を調節する。
【００２５】
リモコン４によって設定される各床暖房レベルは、床暖房通常運転において、例えば、暖房能力が最低の１速では、床面温度が２６℃になるように、中間の４速では、床面温度が３１℃になるように、最高の７速では、床面温度が３６℃になるようにするものであり、通常目標湯温ＴＯは、それぞれの床暖房レベルＨｎにおいて、外気温度Ｔａが低いほど高く、高いほど低く目標湯温ＴＯを外気温度Ｔａに応じて決定されるものである。
【００２６】
本実施例においては、各通常目標湯温ＴＯは、リモコン４により設定された床暖房レベルＨｎと外気温度サーミスタ４０４の検知する外気温度Ｔａとに対応してあらかじめ設定された通常目標湯温ＴＯのデータがマイコンのメモリに記憶されており、床暖房レベルＨｎと外気温度Ｔａが与えられると、それらに対応した通常目標湯温ＴＯが決定される。
本実施例における床暖房レベルＨｎと外気温度Ｔａとにより決定される通常目標湯温ＴＯとの関係の一例を表１に示す。
【００２７】
【表１】
0003636261.tif 000002
【００２８】
このように、外気温度Ｔａに基づいて床暖房レベルＨｎに対応した温水の通常目標湯温ＴＯを設定するため、快適な暖房を行うことができる。
【００２９】
上記のとおり通常目標湯温ＴＯが決定される床暖房通常運転に対して、床暖房ホットダッシュ動作では、暖房負荷や使用者の暖房要求の程度に応じて、適切な床暖房ホットダッシュ動作が行われるようにするために、加熱用熱交換器１２で加熱される温水のホットダッシュ目標湯温Ｔｄを、上記表１に示した各通常目標湯温ＴＯより、更に高い湯温になるように、リモコン４で設定される床暖房レベルＨｎと外気温サーミスタ４０４で検知される外気温度Ｔａに基づいて、床暖房レベルＨｎが大きいほど高く、且つ、外気温度Ｔａが低いほど高く決定する。
【００３０】
各ホットダッシュ目標湯温Ｔｄは、通常目標湯温ＴＯと同様に、リモコン４により設定された床暖房レベルＨｎと外気温度サーミスタ４０４の検知する外気温度Ｔａとに対応してあらかじめ設定されたホットダッシュ目標湯温Ｔｄのデータがマイコンのメモリに記憶されており、床暖房レベルＨｎと外気温度Ｔａが与えられると、それらに対応したホットダッシュ目標湯温Ｔｄが決定される。
本実施例における床暖房レベルＨｎと外気温度Ｔａとにより決定されるホットダッシュ目標湯温Ｔｄとの関係の一例を表２に示す。
【００３１】
【表２】
0003636261.tif 000003
【００３２】
また、床暖房ホットダッシュ動作においては、床暖房ホットダッシュ動作を継続する床暖房ホットダッシュ時間ｔを、床暖房ホットダッシュ動作が開始される前に決定する。本実施例では、リモコン４によって設定される床暖房レベルＨｎに応じて、設定された床暖房レベルＨｎが大きいほど長く、小さくなるにつれて短く設定する。
本実施例において決定される床暖房ホットダッシュ時間ｔの一例を表３に示す。
【００３３】
【表３】
0003636261.tif 000004
【００３４】
以上のとおり制御される床単独運転の作動を、図２に基づいて以下に説明する。
リモコン４により床単独運転の運転開始の指示があると（ステップ１００においてＹＥＳ）、始めに床暖房ホットダッシュ動作を行う。
床暖房ホットダッシュ動作としては、始めにホットダッシュ目標湯温Ｔｄを、リモコン４により設定された床暖房レベルＨｎと外気温サーミスタ４０４に検知された外気温度Ｔａとに基づいて、上記表２に示したとおり決定する（ステップ１１０）。
続けて、床暖房ホットダッシュ時間ｔを、リモコン４により設定された床暖房レベルＨｎに基づいて、上記表３に示したとおり決定する（ステップ１２０）。
以上、ホットダッシュ目標湯温Ｔｄと床暖房ホットダッシュ時間ｔとが決定されると、床暖房ホットダッシュ動作を開始する（ステップ１３０）。
【００３５】
床暖房ホットダッシュ動作では、床暖熱動弁１４を開き、循環ポンプ１１の駆動を開始するとともにガスバーナ１００の燃焼を開始する。床暖房ホットダッシュ時間ｔの間は、高温水サーミスタ４０１によって検知される温度が上記のとおり決定されたホットダッシュ目標湯温Ｔｄになるように燃焼ファン１０１及びガス比例弁１０５を制御する。これにより、ガスバーナ１００によって、通常運転時に決められる通常目標湯温ＴＯより高く、且つ、使用者の要求や暖房負荷に応じた、最適な湯温に加熱された温水が、運転開始直後から床暖房ホットダッシュ時間ｔの間連続して床暖熱動弁１４を通過して床暖房パネル３で放熱するため、暖房開始初期に十分な床暖房能力が確保でき、室内温度の立ち上がりが向上する。
【００３６】
決定された床暖房ホットダッシュ時間ｔが経過するまでは（ステップ１４０においてＮＯ）床暖房ホットダッシュ動作を継続し、床暖房ホットダッシュ時間ｔが経過すると（ステップ１４０においてＹＥＳ）、床暖房ホットダッシュ動作を終了し、床暖房通常運転へ移行する（ステップ１５０）。
【００３７】
床暖房通常運転では、リモコン４により設定された床暖房レベルＨｎと外気温サーミスタ４０４に検知された外気温度Ｔａとに基づいて上記表１に示したとおり決定し、決定された通常目標湯温ＴＯに応じて、ガスバーナ１００の燃焼量を制御して、暖房能力の制御として温水温度を調節する。
【００３８】
以後、リモコン４により床暖房運転の停止が指示されるまで（ステップ１６０においてＮＯ）、床暖房通常運転を行い、床暖房運転の停止が指示されると（ステップ１６０においてＹＥＳ）、ガスバーナ１００の燃焼を停止した２分後に、循環ポンプ１１の作動も停止して床暖房運転を停止する（ステップ１７０）。
【００３９】
以上のとおり、床単独運転では、リモコン４の指示により床暖房運転が開始された運転開始初期の床暖房ホットダッシュ動作において加熱される温水のホットダッシュ目標湯温Ｔｄと床暖房ホットダッシュ時間ｔとを、リモコン４により設定された床暖房レベルＨｎと外気温サーミスタ４０４によって検知される外気温度Ｔａとに基づいて、通常目標湯温ＴＯより高く決定するため、暖房負荷が小さい場合に、温度が高すぎる温水が長い時間供給されすぎることがなく、また、暖房負荷が大きい場合に、供給される温水の温度が低すぎるために、床暖房のための必要な熱量が確保できなかったり、高温の温水が供給される時間が短すぎるなどの不具合が生じることがなくなり、運転開始初期に使用者が必要とする熱量がまとまって供給されることになる。
従って、外気温度の違いなどに応じたしかも使用者の要求に応じた最適な暖房能力で、床暖房運転を立ち上がらせることができる。
【００４０】
〔デュエット暖房運転（複合暖房運転）〕
デュエット暖房運転は、室内機２と床暖房パネル３とにより室内の暖房を行うものであるが、主に室内機２によって室内の温度を上昇させるもので、床暖房パネル３は、室内機２の補助として作用することになる。従って、上記の床単独運転において、制御に用いられたリモコン４により設定される床暖房レベルＨｎは、デュエット暖房運転では、用いられず暖房能力の制御には無関係となる。
【００４１】
デュエット暖房運転では、床暖房パネル３について、上記の床単独運転の場合の床暖房ホットダッシュ動作を行うと、室内温度を上昇させるのに有効な暖房用熱交換器１５へ供給される温水の流量が減少し、室温の立ち上がりが遅くなるため、運転開始から所定時間（例えば２０〜３０分間）が経過するまでは、床暖熱動弁１４を閉じることによって、床暖房パネル３への温水流量を制限する。
その後は、リモコン４の設定室温Ｔset と室温サーミスタ４０３に検知される検知室温Ｔｒとにより温調運転を行う。
【００４２】
温調運転では、室温サーミスタ４０３により検知される検知室温Ｔｒがリモコン４による目標室温Ｔset より低い間には、室内機２および床暖房パネル３による暖房運転を行い、室内温度Ｔｒと設定温度Ｔset との温度差に応じて加熱用熱交換器１２で加熱される温水の目標湯温ＴＯが決定され、決定された目標湯温ＴＯに応じて、ガスバーナ１００の燃焼量を制御して、暖房能力の制御として温水温度の調節を行い、この間、対流ファン２００を駆動して、室内空気を循環させる。
【００４３】
一方、検知室温Ｔｒが目標室温Ｔset より高くなると、ホットキープ動作を行う。ホットキープ動作としては、循環ポンプ１１の駆動とガスバーナ１００の燃焼を継続させたままで対流ファン２００の作動のみを停止させて、床暖房パネル３による暖房のみを継続させる。このとき、室内機２の暖房用熱交換器１５にも温水が循環するが、暖房用熱交換器１５は対流ファン２００の作動によって内部を通過する温水の熱が室内へ放出される構造であるため、暖房用熱交換器１５による暖房効果はほとんど得られない。
【００４４】
このホットキープ動作は、室内機２による暖房運転を休止させて床暖房パネル３のみによって暖房を行うものであり、暖房能力が小さくなるため、室内機２の休止中には、室内温度が低下する。
本実施例では、検知室温Ｔｒが目標室温Ｔset に対して、どの程度高いかに応じてホットキープ動作時間ｔｓを決定し、暖房負荷が大きく室内機２の休止中に室内温度が低下しやすい場合には、ホットキープ動作時間ｔｓを短く、逆に暖房負荷が小さく室内機２の休止中に室内温度が低下しにくい場合ほど、ホットキープ動作時間ｔｓを長く決定する。
【００４５】
本実施例における検知室温Ｔｒと目標室温Ｔset との温度差と決定されるホットキープ動作時間ｔｓとの関係としては、例えば、検知室温Ｔｒが目標室温Ｔset に対して０．５℃〜１．０℃の範囲であればホットキープ動作時間ｔｓを１分に、１．５℃〜２．０℃の範囲であれば５分、３．５℃以上の場合では２０分というように、温度差に対応するホットキープ動作時間ｔｓをあらかじめ設定しており、これらの各ホットキープ動作時間ｔｓは、算出された検知室温Ｔｒと目標室温Ｔset との温度差に対応してあらかじめ設定されたホットキープ動作時間ｔｓのデータがマイコンのメモリに記憶されており、温度差が与えられると、その温度差に対応したホットキープ動作時間ｔｓが決定される。
【００４６】
ホットキープ動作の間は、検知室温Ｔｒが目標室温Ｔset に対して十分に上昇している状態であり、室内に対する大きな加熱量が不要な状態である。従って、この対流ファン２００の作動が停止するホットキープ動作の間には、加熱用熱交換器１２で加熱される温水の目標湯温ＴＯを、リモコン４の設定温度Ｔset および室温サーミスタ４０３の室内温度Ｔｒに関係なく、外気温度サーミスタ４０４によって検知される外気温度Ｔａに基づいて決定する。本実施例では、上記の床単独運転における表１の床暖房レベルＨｎの４速に相当する外気温度Ｔａに対応した目標湯温ＴＯが決定される。
【００４７】
なお、ホットキープ動作においては、対流ファン２００の作動が停止するため、室内空気の循環が停止して室内機２内の暖房用熱交換器１５に循環する温水の熱により、室内機２内に設けられた室温サーミスタ４０３による室内温度の正しい検知ができなくなるが、ホットキープ動作が終了した後には、一定時間（例えば３分間だけ強制的に対流ファン２００を作動させて、室内機２内の放熱を図り、正しい室内温度の検知を行うようにしている。このため、ホットキープ動作が終了しても、一定時間（３分間）が経過するまでは、室内温度の検知を行わず、新たなホットキープ動作時間ｔｓの決定は、一定時間（３分間）の終了時に行われ、このとき、検知室温Ｔｒが目標室温Ｔset よりまだ高い場合には、一定時間（３分間）の対流ファン２００の作動の後に、再び、外気温度Ｔａに応じて決まる新たなホットキープ動作時間ｔｓだけ、対流ファン２００の作動を停止する。
【００４８】
なお、デュエット暖房運転では、ガスバーナ１００の所定の点火制御をし、循環ポンプ１１の駆動を開始した後でも、室内温水サーミスタ４０２の検知温度が十分に高くなるまでは（例えば３０℃）、冷風の吹き出しを防止するために、対流ファン２００の駆動を開始せず、十分温度が上昇した後に、対流ファン２００による送風を開始する。
また、運転開始後、所定時間が経過するまでに、検知室温Ｔｒが目標室温Ｔset より高くなった場合にも、ホットキープ動作が行われる。
【００４９】
なお、ガスバーナ１００の燃焼量は、高温水サーミスタ４０１の検知温度に基づいて、それぞれの目標湯温ＴＯが得られるように、燃焼ファン１０１およびガス比例弁１０５の制御により調節される。
また、運転終了後には、ガスバーナ１００の燃焼停止後、２分を経過してから循環ポンプ１１の作動を停止することにより、余熱を利用して滑らかに暖房運転を停止させることができる。
【００５０】
以上のとおり、本発明では、床単独運転において、運転開始初期の床暖房ホットダッシュ動作においては、通常目標湯温ＴＯより高く決定される温水のホットダッシュ目標湯温Ｔｄを、リモコン４により設定された床暖房レベルＨｎと外気温サーミスタ４０４によって検知される外気温度Ｔａとに基づいて、外気温度Ｔａが低いほど高く且つ設定された床暖房レベルＨｎが大きいほど高くなるように決定するため、暖房負荷が小さい場合に温度が高すぎる温水が供給されたり、逆に、暖房負荷が大きい場合に供給される温水の温度が低すぎるために、床暖房のための必要な熱量が確保できなかったりすることがない。また、床暖房ホットダッシュ時間ｔが、床暖房レベルＨｎに基づいて、使用者の要求に応じて決定されるため、使用者の暖房の要求が大きい場合に高温の温水が供給される時間が短すぎるなどの不具合が生じることがなくなり、運転開始初期に使用者が必要とする熱量がまとまって供給されることになる。
従って、外気温度の違いなどに応じたしかも最適な暖房能力で、床暖房運転を立ち上がらせることができ、床暖房の快適性を向上させることができる。
【００５１】
上記実施例では、床暖房ホットダッシュ時間ｔを床暖房レベルＨｎのみによって決定するようにしたが、ホットダッシュ目標湯温Ｔｄと同様に、床暖房レベルＨｎと外気温度Ｔａとの両方にに基づいて決定するようにしてもよい。その場合の具体的な例としては、上記表２に示した、ホットダッシュ目標湯温Ｔｄに応じて、例えば、８０℃以上の場合には６０分、７０℃〜８０℃の場合には５５分など、表２で決定されるホットダッシュ目標湯温Ｔｄを数段階の範囲に分割し、各範囲にそれぞれ異なる床暖房ホットダッシュ時間ｔを割り当てて設定するなどがある。その場合のホットダッシュ目標湯温Ｔｄの範囲の分割の仕方は、この例に限られるものでなく、５℃〜１５℃の任意の範囲を設定して分割することができる。
【００５２】
上記実施例では、ホットキープ動作として、対流ファンを停止するものを示したが、室内機２への温水回路１０に遮断弁を設けて、温水の供給を停止するようにしてもよい。この場合には、対流ファンの作動を低回転数で継続させてもよい。
上記実施例では、ガスバーナを加熱源としたものを示したが、石油バーナや電気加熱など、他の加熱源による温水暖房システムでもよい。
【図面の簡単な説明】
【図１】本発明の実施例を示す温水エアコンシステムの概略構成図である。
【図２】本発明の実施例における床単独運転の制御動作を説明するための流れ図である。
【符号の説明】
３  床暖房パネル（床暖房手段）
４  リモコン（能力設定手段）
１０  温水回路
１１  循環ポンプ
１２  加熱用熱交換器
１００  ガスバーナ（加熱手段）
４００  制御装置（制御手段、
４０４  外気温度サーミスタ（外気温センサ）
【図１】
0003636261.tif 000005
【図２】
0003636261.tif 000006